(57)【要約】【課題】音声・音を出力する電子機器に対し、当該電子機器の使用者以外の者がヘッドホン、ヘッドセット又はイヤホンを簡単に着脱できる接続端子を提供する。【解決手段】演奏者以外の者が使用するヘッドホン及び／又はヘッドセットを接続するための電子ピアノ２０に設けられた接続端子１であり、接続端子１は、マグネットコネクタの雄側コネクタ又は雌側コネクタのいずれか一方であり、ヘッドホン及び／又はヘッドセットのコネクタが、マグネットコネクタの雄側コネクタ又は雌側コネクタのいずれか他方であり、ヘッドホン及び／又はヘッドセットをワンタッチで着脱でき、電子ピアノ２０が、通路５０に沿って複数台が縦１列に配列され使用されるときは、接続端子１は、電子ピアノ２０の本体前面２２の通路５０側又は通路５０に近い方の本体側面２４に設置される。【選択図】図２
0003233577.tif 000002
【実用新案登録請求の範囲】
【請求項１】
音声・音を出力する電子機器にヘッドホン、ヘッドセット、イヤホンのいずれか１種以上を接続するための接続端子であり、
前記接続端子は、マグネットコネクタの雄側コネクタ又は雌側コネクタのいずれか一方であり、
前記ヘッドホン、ヘッドセット、イヤホンのコネクタが、マグネットコネクタの雄側コネクタ又は雌側コネクタのいずれか他方であり、
前記ヘッドホン、ヘッドセット、イヤホンのいずれか１種以上を前記電子機器にワンタッチで接続可能であり、
前記電子機器に電子楽器が含まれることを特徴とする接続端子。
【請求項２】
前記電子機器が、複数台が１列に配列された電子機器を含み、
前記１列に配列された電子機器を挟んだ少なくともいずれか一方に、列に面する通路又は人が通行可能なスペースを有し、
前記１列に配列された各電子機器の前記接続端子が、各電子機器又は各電子機器を載置する机であって下記（Ａ）群のいずれか一ヶ所以上に設けられていることを特徴とする請求項１に記載の接続端子。
（Ａ）電子機器前面の前記通路又は前記スペース側、前記通路又は前記スペースに近い方の電子機器側面、電子機器上面の前記通路側又は前記スペース側、電子機器背面の前記通路側又は前記スペース側、電子機器底面の前記通路側又は前記スペース側、机前面の前記通路側又は前記スペース側、前記通路又は前記スペースに近い方の机側面、机上面の前記通路側又は前記スペース側、机背面の前記通路側又は前記スペース側、机底面の前記通路側又は前記スペース側
【請求項３】
前記電子機器が、複数台が２列に並列された電子機器を含み、
前記２列に並列された電子機器を挟んだいずれか一方にのみ、列に面する通路又は人が通行可能なスペースを有し、
前記２列に配列された各電子機器の前記接続端子は、前記通路又は前記スペースに面する列の各電子機器又は各電子機器を載置する机であって下記（Ａ）群のいずれか一ヶ所以上に設けられ、
接続端子がヘッドセットを接続するためのものであることを特徴とする請求項１に記載の接続端子。
（Ａ）電子機器前面の前記通路又は前記スペース側、前記通路又は前記スペースに近い方の電子機器側面、電子機器上面の前記通路側又は前記スペース側、電子機器背面の前記通路側又は前記スペース側、電子機器底面の前記通路側又は前記スペース側、机前面の前記通路側又は前記スペース側、前記通路又は前記スペースに近い方の机側面、机上面の前記通路側又は前記スペース側、机背面の前記通路側又は前記スペース側、机底面の前記通路側又は前記スペース側
【請求項４】
前記電子機器が、電子ピアノ、電子オルガン、電子キーボード、電子ドラム、電子ギター、電子バイオリン、スマートフォン、タブレット端末、パーソナルコンピュータのいずれか１種以上であることを特徴とする請求項１から３のいずれか１項に記載の接続端子。
【考案の詳細な説明】
【技術分野】
【０００１】
本考案は、電子ピアノなど電子楽器、さらにはパーソナルコンピュータなど音声・音を出力する電子機器に設けられる、ヘッドホン・ヘッドセットを接続するための接続端子に関する。
【背景技術】
【０００２】
一般的に電子ピアノは、演奏音をヘッドホンで聞くためのヘッドホン端子を備える。ヘッドホン端子は、通常、鍵盤の下に位置する棚板など鍵盤の近くに１つ又は２つ並びで設けられているが、従来の２つ並びのヘッドホン端子は、使い勝手が悪いとして、ヘッドホン端子を棚板の左右に離して設けたものもある（例えば特許文献１参照）。
【０００３】
ところでピアノ教室、高校、大学のピアノ授業等では、１名又は少数の指導者が多数の生徒を指導する場合も多い。この場合、１つの部屋・教室に複数台の電子ピアノが配列され、各生徒はヘッドホンを介して自身の演奏音を聞きながら電子ピアノの練習を行う。このような場面において、電子ピアノが２つのヘッドホン端子を備えていれば、指導者は、ヘッドホンを持った状態で部屋・教室内を巡回し、生徒が演奏する電子ピアノのヘッドホン端子に自身のヘッドホンのプラグを差し込み生徒の演奏音を聞き、またその場で自ら指導することができる。
【先行技術文献】
【特許文献】
【０００４】
【特許文献１】実開平７−２３３８６号公報
【考案の概要】
【考案が解決しようとする課題】
【０００５】
前記のとおり１名又は少数の指導者が多数の生徒を指導するピアノ教室、ピアノ授業において、２つのヘッドホン端子を備える電子ピアノは有用である。しかし、従来の電子ピアノは、棚板の下面、下前板の上部に２つのヘッドホン端子が設けられているため、複数の電子ピアノが配列されたピアノ教室、ピアノ授業のような場面では、指導者がヘッドホンを接続することが難しい。また従来のヘッドホンは、プラグを深く差し込む必要があるため着脱に時間がかかる。
【０００６】
前述のヘッドホンの接続・着脱に関する問題は、電子ピアノ以外にも、複数の電子オルガンあるいは電子キーボード、複数種の電子楽器が配列された音楽教室、音楽授業のような場面でも共通する。音声・音を出力する電子機器において、１名又は少数の指導者が多数の生徒を指導する場面は、スマートフォン、タブレット端末、パーソナルコンピュータなどの教室でも見られる。
【０００７】
本考案の目的は、音声・音を出力する電子機器に対し、当該電子機器の使用者以外の者がヘッドホン、ヘッドセット又はイヤホンを簡単に着脱できる接続端子を提供することである。
【課題を解決するための手段】
【０００８】
本考案は、音声・音を出力する電子機器にヘッドホン、ヘッドセット、イヤホンのいずれか１種以上を接続するための接続端子であり、前記接続端子は、マグネットコネクタの雄側コネクタ又は雌側コネクタのいずれか一方であり、前記ヘッドホン、ヘッドセット、イヤホンのコネクタが、マグネットコネクタの雄側コネクタ又は雌側コネクタのいずれか他方であり、前記ヘッドホン、ヘッドセット、イヤホンのいずれか１種以上を前記電子機器にワンタッチで接続可能であり、前記電子機器に電子楽器が含まれることを特徴とする接続端子である。
【０００９】
本考案の接続端子において、前記電子機器が、複数台が１列に配列された電子機器を含み、前記１列に配列された電子機器を挟んだ少なくともいずれか一方に、列に面する通路又は人が通行可能なスペースを有し、前記１列に配列された各電子機器の前記接続端子が、各電子機器又は各電子機器を載置する机であって下記（Ａ）群のいずれか一ヶ所以上に設けられていることを特徴とする。
（Ａ）電子機器前面の前記通路又は前記スペース側、前記通路又は前記スペースに近い方の電子機器側面、電子機器上面の前記通路側又は前記スペース側、電子機器背面の前記通路側又は前記スペース側、電子機器底面の前記通路側又は前記スペース側、机前面の前記通路側又は前記スペース側、前記通路又は前記スペースに近い方の机側面、机上面の前記通路側又は前記スペース側、机背面の前記通路側又は前記スペース側、机底面の前記通路側又は前記スペース側
【００１０】
本考案の接続端子において、前記電子機器が、複数台が２列に並列された電子機器を含み、前記２列に並列された電子機器を挟んだいずれか一方にのみ、列に面する通路又は人が通行可能なスペースを有し、前記２列に配列された各電子機器の前記接続端子は、前記通路又は前記スペースに面する列の各電子機器又は各電子機器を載置する机であって下記（Ａ）群のいずれか一ヶ所以上に設けられ、接続端子がヘッドセットを接続するためのものであることを特徴とする。
（Ａ）電子機器前面の前記通路又は前記スペース側、前記通路又は前記スペースに近い方の電子機器側面、電子機器上面の前記通路側又は前記スペース側、電子機器背面の前記通路側又は前記スペース側、電子機器底面の前記通路側又は前記スペース側、机前面の前記通路側又は前記スペース側、前記通路又は前記スペースに近い方の机側面、机上面の前記通路側又は前記スペース側、机背面の前記通路側又は前記スペース側、机底面の前記通路側又は前記スペース側
【００１１】
本考案の接続端子において、前記電子機器が、電子ピアノ、電子オルガン、電子キーボード、電子ドラム、電子ギター、電子バイオリン、スマートフォン、タブレット端末、パーソナルコンピュータのいずれか１種以上であることを特徴とする。
【考案の効果】
【００１２】
本考案によれば、音声・音を出力する電子機器に対し、当該電子機器の使用者以外の者がヘッドホン、ヘッドセット又はイヤホンを簡単に着脱できる接続端子を提供することができる。
【図面の簡単な説明】
【００１３】
【図１】本考案の第１実施形態の接続端子１を取付けた電子ピアノ２０の外観図である。
【図２】本考案の第１実施形態の接続端子１の取付け位置を説明するための平面図である。
【図３】本考案の第１実施形態の接続端子１廻りの拡大図である。
【図４】本考案の第１実施形態の接続端子１に接続するヘッドホン１０の外観図である。
【図５】本考案の第１実施形態の接続端子１にヘッドホン１０の接続端子１２を取付けた状態を示す図である。
【図６】本考案の第１実施形態の接続端子１に取付けられたヘッドホン１０の接続端子１２を取外す様子を示す図である。
【図７】本考案の第２実施形態の接続端子２の取付け位置を説明するための平面図である。
【考案を実施するための形態】
【００１４】
図１は、本考案の第１実施形態の接続端子１を取付けた電子ピアノ２０の外観図、図２は、接続端子１の取付け位置を説明するための平面図、図３は、接続端子１廻りの拡大図、図４は、接続端子１に接続するヘッドホン１０の外観図、図５は、接続端子１にヘッドホン１０の接続端子１２を取付けた状態を示す図、図６は、接続端子１に取付けられたヘッドホン１０の接続端子１２を取外す様子を示す図である。
【００１５】
本考案の第１実施形態の接続端子１は、演奏者以外の者が使用するヘッドホン１０（図４参照）を電子ピアノ２０に接続するための電子ピアノ２０に設けられる接続端子である。ここではヘッドホン１０と電子ピアノ２０との接続にマグネットコネクタを使用する。マグネットコネクタは、磁力を利用して雄側コネクタと雌側コネクタとを吸着させる公知のコネクタである。接続端子１は、この雄側コネクタ又は雌側コネクタのいずれか一方である。
【００１６】
電子ピアノ２０には、鍵盤２６の下に位置する棚板２８、下前板など鍵盤２６の近くに演奏者（使用者）が使用するヘッドホンを接続する演奏者用のヘッドホン端子３０が取付けられており、接続端子１と演奏者用のヘッドホン端子３０とは別物である。
【００１７】
図１、図２に示すように通路５０の左側又は右側に縦一列に配列された電子ピアノ２０にあっては、接続端子１の設置位置は、電子ピアノ２０の本体前面２２であって通路５０側の上端部近傍である。図２に示すように通路５０の左側に配列された電子ピアノ２０は、本体前面２２の右側、通路５０の右側に配列された電子ピアノ２０は、本体前面２２の左側に設けられる。電子ピアノ２０の本体前面２２は、鍵盤２６と反対側である。
【００１８】
接続端子１は、演奏者用のヘッドホン端子３０を備える既存の電子ピアノ２０に対し、電子ピアノ２０の本体前面２２であって通路５０側の上端部近傍に取付けられ、ヘッドホン１０を接続し演奏音を聞くことができるように電子ピアノ２０の電気・電子回路３２に接続される。接続端子１は、演奏者用のヘッドホン端子３０に接続するケーブル線を分配させ、これに接続してもよい。接続端子１は、電子ピアノ２０に対し１個設ければよい。
【００１９】
ヘッドホン１０は、接続端子１２として、接続端子１に接続するマグネットコネクタの雄側コネクタ又は雌側コネクタを備える。接続端子１がマグネットコネクタの雄側コネクタであれば、ヘッドホン１０の接続端子１２は、マグネットコネクタの雌側コネクタであり、接続端子１がマグネットコネクタの雌側コネクタであれば、ヘッドホン１０の接続端子１２は、マグネットコネクタの雄側コネクタである。
【００２０】
以上からなる第１実施形態の接続端子１は、マグネットコネクタからなるのでヘッドホン１０を電子ピアノ２０に対してワンタッチで取付け、取り外すことができる。
【００２１】
図１、図２に示すように列の左右のいずれか一方が通路５０に沿うように複数台が縦に配列され使用される電子ピアノ２０に対しては、接続端子１が、電子ピアノ２０の本体前面２２であって通路５０側の上端部近傍に設置されるため、通路５０から簡単にヘッドホン１０を着脱できる。このため１名又は少数の指導者が多数の生徒を指導するグループレッスン、ピアノ教室、ピアノ授業において各電子ピアノ２０に本実施形態の接続端子１を設ければ、指導者は、ヘッドホン１０を持って通路５０を移動しながら適宜、電子ピアノ２０にヘッドホン１０を接続し演奏音を聞き、指導することができる。
【００２２】
上記第１実施形態では、接続端子１の設置位置を電子ピアノ２０の本体前面２２であって通路５０側の上端部近傍としたが、接続端子１の設置位置は、電子ピアノ２０の通路５０側の本体側面２４の上部であってもよい。また上記実施形態では、接続端子１としてヘッドホン用の接続端子を示したが、ヘッドセットを使用する場合には、同じ要領でヘッドセット用の接続端子を設ければよい。
【００２３】
縦１列に配列された電子ピアノ２０の左右両側が通路５０である場合には、接続端子１の設置位置は、電子ピアノ２０の本体前面２２であって左右いずれか一方の上端部近傍、又は左右いずれか一方の本体側面２４の上部とすればよい。この場合、接続端子１の設置位置は、全ての電子ピアノ２０において右側又は左側に統一するのがよい。１台の電子ピアノ２０に対し、接続端子１を左右にそれぞれ１個、計２個設けることを否定するものではないが、経済性等を考えれば1台の電子ピアノ２０に対し、接続端子１は１個でよい。
【００２４】
図７は、本考案の第２実施形態の接続端子２の取付け位置を説明するための平面図である。図１〜図６に示す本考案の第１実施形態の接続端子１と同一の構成には同一の符号を付して説明を省略する。
【００２５】
第１実施形態では、電子ピアノ２０にヘッドホン１０を接続するための接続端子１を設けるが、第２実施形態では、電子ピアノ２０に対してヘッドセット（図示を省略）を接続するための接続端子２を設ける。ヘッドセット用の接続端子２は、演奏者以外の者が使用するヘッドセットを接続するための電子ピアノ２０に設けられた接続端子であり、ヘッドホン１０用の接続端子１と同様に、マグネットコネクタの雄側コネクタ又は雌側コネクタのいずれか一方である。
【００２６】
ここで使用するヘッドセットは、マイクとヘッドホンとがセットとなった公知のヘッドセットであり、接続端子として接続端子２に接続するマグネットコネクタの雄側コネクタ又は雌側コネクタを備える。接続端子２がマグネットコネクタの雄側コネクタであれば、ヘッドセットの接続端子は、マグネットコネクタの雌側コネクタであり、接続端子２がマグネットコネクタの雌側コネクタであれば、ヘッドセットの接続端子は、マグネットコネクタの雄側コネクタである。
【００２７】
接続端子２の設置位置について説明する。図７では、中央の通路５０を挟み左右に電子ピアノ２０が配列されている。中央の通路５０の右側の電子ピアノ２０は、横並びの２台の電子ピアノ２０ｃ、２０ｄが縦方向に複数台並んでいる。この電子ピアノ２０ｃ、２０ｄは、共に一方の側面に通路５０が設けられているので第１実施形態と同じ要領で接続端子２ｃ、２ｄが設置される。
【００２８】
中央の通路５０の左側の電子ピアノ２０も横並びの２台の電子ピアノ２０ａ、２０ｂが縦方向に複数台並んでいる。電子ピアノ２０ｂの右側は中央の通路５０であるが、電子ピアノ２０ａの左側には通路はない。このため電子ピアノ２０ａにヘッドホン１０用の接続端子１、あるいはヘッドセット用の接続端子２を設けてもヘッドホン１０、ヘッドセットの着脱が難しい。このような配置の電子ピアノ２０ａ、２０ｂにおいては、通路５０側の電子ピアノ２０ｂに、電子ピアノ２０ｂ及び電子ピアノ２０ａと接続するためのヘッドセット用の接続端子２ｂ、２ａを設け、電子ピアノ２０ａには接続端子１及び接続端子２のいずれも設けられない。
【００２９】
電子ピアノ２０ｂに取付けられた接続端子２ｂは、ヘッドセットを接続し電子ピアノ２０ｂの演奏音を聞くことができるように、又マイクを通じて話す言葉が、電子ピアノ２０ｂの演奏者が装着したヘッドホンで聞くことができるように電子ピアノ２０ｂの電気・電子回路３２ｂに接続される。同様に接続端子２ａは、ヘッドセットを接続し電子ピアノ２０ａの演奏音を聞くことができるように、又マイクを通じて話す言葉が、電子ピアノ２０ａの演奏者が装着したヘッドホンで聞くことができるように電子ピアノ２０ａの電気・電子回路３２ａに接続される。
【００３０】
電子ピアノ２０ｂに設けられる接続端子２ｂの位置は、第１実施形態の電子ピアノ２０と同様に、電子ピアノ２０ｂの本体前面２２ｂであって通路５０側の上端部近傍である。電子ピアノ２０ｂに設けられる接続端子２ａの位置は、接続端子２ｂの左隣りである。電子ピアノ２０ｂに取付けられた接続端子２ｂ及び接続端子２ａは、それぞれ電子ピアノ２０ｂ、２０ａの演奏音を聞き、電子ピアノ２０ｂ、２０ａの演奏者に話かけるためのものであるから、接続端子２０ｂ、２０ａの並びは、電子ピアノ２０ｂ、２０ａの並びと同じであるのがよい。
【００３１】
第２実施形態において電子ピアノ２０（２０ａ、２０ｂ、２０ｃ、２０ｄ）につながる接続端子２（２ａ、２ｂ、２ｃ、２ｄ）をヘッドセット用の接続端子とするのは、電子ピアノ２０ａの演奏者に対して、指導者が通路５０から直接話かけることができず、ヘッドセットのマイクを通じて話かける必要があるからである。通路５０に面する電子ピアノ２０ｂ、２０ｃ、２０ｄに対しては、指導者が通路５０から直接話かけることができるため接続端子は、ヘッドホン１０用の接続端子１でもよいが、同じ場所で２種類の接続端子を使用すると、指導者はヘッドホン１０とヘッドセットとを持って巡回し、電子ピアノ２０によって使い分ける必要が生じ不便である。
【００３２】
第２実施形態のようにヘッドセットを使用しなければ、演奏者に対して話かけることができないピアノが１台でもあればその場所で使用するピアノ２０に対しては、全てヘッドセット用の接続端子２とすることが好ましい。この場合、通路５０に面する電子ピアノ２０ｂ、２０ｃ、２０ｄを演奏する者に対し、指導者は、ヘッドセットのマイクを使用せず直接話かけることもできる。さらに全てのピアノ２０に対してヘッドセット用の接続端子２を取り付け、通路５０に面する電子ピアノ２０ｂ、２０ｃ、２０ｄに対してはヘッドホンのみが機能するように電気・電子回路３２ｂ、３２ｃ、３２ｄと接続してもよい。
【００３３】
以上のように本考案の第２実施形態のヘッドセット用の接続端子２を用いれば、図７に示すような列の左右のいずれか一方のみが通路５０に沿うように複数台が縦に２列に配列され使用される電子ピアノ２０ａ、２０ｂであっても、通路５０からいずれの電子ピアノ２０ａ、２０ｂに対してもヘッドセットをワンタッチで接続できる。
【００３４】
本考案の第２実施形態の接続装置２の作用効果は、本考案の第１実施形態の接続装置１の作用効果と基本的に同じである。
【００３５】
上記第２実施形態では、接続端子２の設置位置を電子ピアノ２０ｂの本体前面２２であって通路５０側の上端部近傍としたが、接続端子２の設置位置を電子ピアノ２０ｂの通路５０側の本体側面２４の上部としてもよい。
【００３６】
以上、第１及び第２実施形態により本考案に係る接続端子を説明したが、本考案に係る接続端子は、上記実施形態に限定されるものではなく、要旨を変更しない範囲で変更して使用することができる。
【００３７】
上記実施形態では、電子ピアノ２０にヘッドホン１０用の接続端子１、ヘッドセット用の接続端子２を設ける例を示したが、本考案に係る接続端子１、２は、音声及び／又は音を出力する電子機器に幅広く適用することができる。このような電子機器として電子ピアノ２０のほか、電子オルガン、電子キーボード、電子ドラム、電子ギター、電子バイオリンを含む電子楽器、スマートフォン、タブレット端末、パーソナルコンピュータが挙げられる。
【００３８】
いわゆるパソコン教室、パソコン授業では、複数の生徒が先生の指導を受けながらまた必要に応じて生徒が先生に質問しながらパーソナルコンピュータの操作等を習得する。このような状況は、複数台の電子ピアノ２０を用いて行われるピアノ教室、ピアノ授業と基本的に同じである。
【００３９】
スマートフォン、タブレット端末、パーソナルコンピュータなどの電子機器に本考案に係る接続端子１、２を適用してヘッドホン１０、ヘッドセット用の接続端子を設ける場合も、接続端子は、マグネットコネクタの雄側コネクタ又は雌側コネクタのいずれか一方であり、ヘッドホン、ヘッドセットのコネクタが、マグネットコネクタの雄側コネクタ又は雌側コネクタのいずれか他方である。これにより電子機器にヘッドホン、ヘッドセットをワンタッチで接続し、また取り外すことができる。
【００４０】
パーソナルコンピュータなどの電子機器にヘッドホン１０、ヘッドセット用の接続端子を設ける場合、接続端子の設置位置は、上記電子ピアノ２０と同様に、電子機器前面の通路側、又は通路に近い方の電子機器側面が好ましい。この位置であれば電子ピアノ２０の場合と同様に、先生は、通路を移動しながら容易にパーソナルコンピュータなどの電子機器にヘッドホン１０、ヘッドセットを着脱することができる。
【００４１】
パソコン教室、パソコン授業では、パーソナルコンピュータを机の上に置いて使用する場合も多い。このような場合、ヘッドホン１０、ヘッドセットの着脱の容易性を重視し、机の前面の通路側、通路側の側面に接続端子１、２を取り付け、この接続端子１、２とパーソナルコンピュータとをケーブルで接続してもよい。
【００４２】
第１、第２実施形態の電子ピアノ２０、さらにはパーソナルコンピュータなどの電子機器において、接続端子の設置位置を本体前面であって通路側、通路側の本体側面としたが、これは通路を移動しながら容易に接続端子１、２にヘッドホン１０、ヘッドセットを着脱することができるためである。電子楽器を含む音声及び／又は音を出力する電子機器の配置によっては、機器又は机の上面、背面、底面であって通路側に接続端子１、２を設置することでヘッドホン１０、ヘッドセットの着脱が容易となる場合もある。そのような場合には、そのような場所に接続端子１、２を設ければよい。
【００４３】
上記実施形態では、接続端子としてヘッドホン１０、ヘッドセット用の接続端子１、２を示したが、接続端子はイヤホン用のものであってもよい。
【００４４】
また上記実施形態では、電子ピアノ２０、パーソナルコンピュータなどの電子機器の左右の少なくともいずれか一方に通路５０が設けられる例を示したが、電子機器の左右の少なくともいずれか一方に人が通行可能なスペースが設けられている場合には、そのスペースを通路５０と同等に考えればよい。
【００４５】
接続端子の設置位置である電子機器又は机の前面、上面、背面、底面の通路側又はスペース側は、通路又はスペースから容易に接続端子１、２にヘッドホン１０、ヘッドセット、イヤホンを着脱できる位置であれば特に限定されるものではないが、一般的には電子機器又は机の前面、上面、背面、底面の通路側端部又はスペース側端部、電子機器又は机の前面、上面、背面、底面の通路側端部近傍又はスペース側端部近傍である。
【００４６】
第１及び第２実施形態の図１、図２、図７では電子楽器が全て電子ピアノ２０であったが、列毎に電子楽器の種類が異なっていてもよく、部分的に異なる種類の電子楽器が混在してもよい。この点はパーソナルコンピュータなどの電子機器についても同じであり、電子楽器とパーソナルコンピュータなどの電子機器とが混在する場合にも本考案に係る接続端子を適用することができる。また第１及び第２実施形態では円板型のマグネットコネクタを示したが、マグネットコネクタは、着脱容易であれば形態は特に問われない。
【００４７】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００４８】
１、２、２ａ、２ｂ、２ｃ、２ｄ  接続端子
１０  ヘッドホン
１２  ヘッドホンの接続端子
２０、２０ａ、２０ｂ、２０ｃ、２０ｄ  電子ピアノ
２２  本体前面
２４  本体側面
２６  鍵盤
２８  棚板
３０  ヘッドホン端子（既設）
３２、３２ａ、３２ｂ、３２ｃ、３２ｄ  電気・電子回路
５０  通路
【図１】
0003233577.tif 000003
【図２】
0003233577.tif 000004
【図３】
0003233577.tif 000005
【図４】
0003233577.tif 000006
【図５】
0003233577.tif 000007
【図６】
0003233577.tif 000008
【図７】
0003233577.tif 000009